【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
入力音声信号の受信のための音声入力端子と、
可動振動板と、
エアギャップを有する磁性材料と、
前記磁性材料及び前記エアギャップにおいて磁束を誘導するための固定コイルと、
可動コイルが少なくとも部分的に前記エアギャップ内に配置されるような、前記振動板に結合された前記可動コイルと、
を有するドライバと、
前記入力音声信号に基づいて時変固定コイル信号を生成し、
前記時変固定コイル信号及び前記入力音声信号の両方に基づいて時変可動コイル信号を生成する、
ように適合された制御システムと、
前記時変固定コイル信号及び前記時変可動コイル信号に基づいて合成信号を提供するよう適合されたコンバイナ構成要素と、
前記時変固定コイル信号及び前記合成信号の一方に応答する固定コイル制御信号を前記固定コイルのために提供し、
前記可動コイル制御信号が前記時変固定コイル信号及び前記合成信号の他方に応答し、前記振動板が前記可動コイル制御信号に応じて動くような可動コイル制御信号を前記可動コイルに提供する、
ために前記合成信号を処理するよう適合されたフィルタ構成要素とを含み、
前記コンバイナ構成要素及び前記フィルタ構成要素が、前記コンバイナ構成要素から前記フィルタ構成要素への前記合成信号の送信のために、１対の導体を介して電気通信する、
音響変換器。
【請求項２】
前記時変固定コイル信号の前記時変可動コイル信号への追加のために、前記コンバイナ構成要素が電流レギュレータ及び電圧レギュレータの一方を含む、請求項１に記載の音響変換器。
【請求項３】
前記電流レギュレータ及び前記電圧レギュレータの他方が単方向構成要素及び双方向構成要素を含む、請求項２に記載の音響変換器。
【請求項４】
前記単方向構成要素及び前記双方向構成要素が総構成要素として提供される、請求項３に記載の音響変換器。
【請求項５】
前記総構成要素がＤ級電力増幅器を含む、請求項４に記載の音響変換器。
【請求項６】
前記単方向構成要素及び前記双方向構成要素が個別の構成要素.として提供される、請求項３に記載の音響変換器。
【請求項７】
音響変換器の動作方法であって、
入力音声信号の受信と、
前記入力音声信号に基づく時変固定コイル信号の生成と、
前記時変固定コイル信号及び前記入力音声信号の両方に基づく時変可動コイル信号の生成と、
前記時変固定コイル信号及び前記時変可動コイル信号に基づく合成信号の提供と、
を含む方法。
【請求項８】
１対の導体における前記合成信号の変換器への送信を、
前記合成信号の提供が含む、請求項７に記載の方法。
【請求項９】
電流レギュレータ及び電圧レギュレータの１つである第１のレギュレータの提供と、
前記第１のレギュレータを用いた前記時変固定コイル信号の前記時変可動コイル信号への追加と、
を前記合成信号の提供がさらに含む、請求項７に記載の方法。
【請求項１０】
前記第１のレギュレータが単方向構成要素及び双方向構成要素.を含む、請求項９に記載の方法。
【請求項１１】
前記単方向構成要素及び前記双方向構成要素が総構成要素として提供される、請求項１０に記載の方法。
【請求項１２】
前記総構成要素がＤ級電力増幅器を含む、請求項１１に記載の方法。
【請求項１３】
前記単方向構成要素及び前記双方向構成要素が個別の構成要素.として提供される、請求項１０に記載の方法。
【請求項１４】
前記第１のレギュレータが電流源であり、
前記電流源の前記単方向構成要素がバックコンバータを含み、
前記電流源の前記双方向構成要素がＤ級電力増幅器及びＡＢ級電力増幅器の１つを含む、
請求項１３に記載の方法。
【請求項１５】
前記第１のレギュレータが電圧源であり、
前記電圧源の前記単方向構成要素がバックコンバータを含み、
前記電圧源の前記双方向構成要素がＤ級電力増幅器を含む、
請求項１３に記載の方法。
【手続補正２】
【補正対象書類名】明細書
【補正対象項目名】００１３
【補正方法】変更
【補正の内容】
【００１３】
様々な態様及び実施形態の他の特徴について以下に説明する。
本願明細書は、例えば、以下の項目も提供する。
（項目１）
音響変換器の動作方法であって、
入力音声信号の受信と、
前記入力音声信号に基づく時変固定コイル信号の生成と、
前記時変固定コイル信号及び前記入力音声信号の両方に基づく時変可動コイル信号の生成と、
前記時変固定コイル信号及び前記時変可動コイル信号に基づく合成信号の提供と、
１対の導体における前記合成信号の送信と、
固定コイルが磁束経路内で磁束を誘導し、固定コイル制御信号が前記時変固定コイル信号及び前記合成信号の一方に応答するように、前記固定コイル制御信号を前記固定コイルに提供し、
可動コイル制御信号が前記時変固定コイル信号及び前記合成信号の他方に応答し、
可動コイルが前記磁束経路内に配置され、
前記可動コイルが、前記可動コイル制御信号に応じて動く可動振動板に結合されるように、
前記可動コイル制御信号を前記可動コイルに提供する、
ためのフィルタ処理の前記合成信号への応用と、
を含む方法。
（項目２）
電流レギュレータ及び電圧レギュレータの１つである第１のレギュレータの提供と、
前記第１のレギュレータを用いた、前記時変固定コイル信号の前記時変可動コイル信号への追加と、
を前記合成信号の提供が含む、項目１に記載の方法。
（項目３）
前記第１のレギュレータが単方向構成要素及び双方向構成要素を含む、項目２に記載の方法。
（項目４）
前記単方向構成要素及び前記双方向構成要素が総構成要素として提供される、項目３に記載の方法。
（項目５）
前記総構成要素がＤ級電力増幅器を含む、項目４に記載の方法。
（項目６）
前記単方向構成要素及び前記双方向構成要素が個別の構成要素として提供される、項目３に記載の方法。
（項目７）
前記第１のレギュレータが電流源であり、
前記電流源の前記単方向構成要素がバックコンバータを含み、
前記電流源の前記双方向構成要素がＤ級電力増幅器及びＡＢ級電力増幅器の１つを含む、
項目６に記載の方法。
（項目８）
前記第１のレギュレータが電圧源であり、
前記電圧源の前記単方向構成要素がバックコンバータを含み、
前記電圧源の前記双方向構成要素がＤ級電力増幅器を含む、
項目６に記載の方法。
（項目９）
前記時変固定コイル信号のバージョンを前記合成信号から導出するための前記合成信号の処理のためのフィルタの提供を、
前記フィルタ処理の前記合成信号への応用が含む、項目１に記載の方法。
（項目１０）
入力音声信号の受信のための音声入力端子と、
可動振動板と、
エアギャップを有する磁性材料と、
前記磁性材料及び前記エアギャップにおいて磁束を誘導するための固定コイルと、
可動コイルが少なくとも部分的に前記エアギャップ内に配置されるような、前記振動板に結合された前記可動コイルと、
を有するドライバと、
前記入力音声信号に基づいて時変固定コイル信号を生成し、
前記時変固定コイル信号及び前記入力音声信号の両方に基づいて時変可動コイル信号を生成する、
ように適合された制御システムと、
前記時変固定コイル信号及び前記時変可動コイル信号に基づいて合成信号を提供するよう適合されたコンバイナ構成要素と、
前記時変固定コイル信号及び前記合成信号の一方に応答する固定コイル制御信号を前記固定コイルのために提供し、
前記可動コイル制御信号が前記時変固定コイル信号及び前記合成信号の他方に応答し、前記振動板が前記可動コイル制御信号に応じて動くような可動コイル制御信号を前記可動コイルに提供する、
ために前記合成信号を処理するよう適合されたフィルタ構成要素とを含み、
前記コンバイナ構成要素及び前記フィルタ構成要素が、前記コンバイナ構成要素から前記フィルタ構成要素への前記合成信号の送信のために、１対の導体を介して電気通信する、
音響変換器。
（項目１１）
前記時変固定コイル信号の前記時変可動コイル信号への追加のために、前記コンバイナ構成要素が電流レギュレータ及び電圧レギュレータの一方を含む、項目１０に記載の音響変換器。
（項目１２）
前記電流レギュレータ及び前記電圧レギュレータの他方が単方向構成要素及び双方向構成要素を含む、項目１１に記載の音響変換器。
（項目１３）
前記単方向構成要素及び前記双方向構成要素が総構成要素として提供される、項目１２に記載の音響変換器。
（項目１４）
前記総構成要素がＤ級電力増幅器を含む、項目１３に記載の音響変換器。
（項目１５）
前記単方向構成要素及び前記双方向構成要素が個別の構成要素.として提供される、項目１２に記載の音響変換器。
（項目１６）
前記電流レギュレータが電流源であり、
前記電流源の前記単方向構成要素がバックコンバータを含み、
前記電流源の前記双方向構成要素がＤ級電力増幅器及びＡＢ級電力増幅器の１つを含む、
項目１５に記載の音響変換器。
（項目１７）
前記電圧レギュレータが電圧源であり、
前記電圧源の前記単方向構成要素がバックコンバータを含み、
前記電圧源の前記双方向構成要素がＤ級電力増幅器を含む、
項目１５に記載の音響変換器。
（項目１８）
前記フィルタ構成要素が、前記合成信号から前記時変固定コイル信号のバージョンを導出するようさらに適合された、項目１０に記載の音響変換器。
（項目１９）
音響変換器の動作方法であって、
入力音声信号の受信と、
前記入力音声信号に基づく時変固定コイル信号の生成と、
前記時変固定コイル信号及び前記入力音声信号の両方に基づく時変可動コイル信号の生成と、
前記時変固定コイル信号及び前記時変可動コイル信号に基づく合成信号の提供と、
１対の導体における前記合成信号の送信と、
固定コイル制御信号が前記時変固定コイル信号及び前記時変可動コイル信号の一方に応答し、固定コイルが磁束経路内で磁束を誘導するように、前記固定コイル制御信号を前記固定コイルに提供し、
可動コイル制御信号が前記時変固定コイル信号及び前記時変可動コイル信号の他方に応答し、
可動コイルが前記磁束経路内に配置され、
前記可動コイルが、前記可動コイル制御信号に応じて動く可動振動板に結合されるように、
前記可動コイル制御信号を前記可動コイルに提供する、
ためのフィルタ処理の前記合成信号への応用と、
を含む方法。
（項目２０）
電流レギュレータ及び電圧レギュレータの１つである第１のレギュレータの提供と、
前記第１のレギュレータを用いた、前記時変固定コイル信号の前記時変可動コイル信号への追加と、
を前記合成信号の提供が含む、項目１９に記載の方法。
（項目２１）
前記第１のレギュレータが単方向構成要素及び双方向構成要素を含む、項目２０に記載の方法。
（項目２２）
前記単方向構成要素及び前記双方向構成要素が総構成要素として提供される、項目２１に記載の方法。
（項目２３）
前記総構成要素がＤ級電力増幅器を含む、項目２２に記載の方法。
（項目２４）
前記単方向構成要素及び前記双方向構成要素が個別の構成要素として提供される、項目２１に記載の方法。
（項目２５）
前記第１のレギュレータが電流源であり、
前記電流源の前記単方向構成要素がバックコンバータを含み、
前記電流源の前記双方向構成要素がＤ級電力増幅器及びＡＢ級電力増幅器の１つを含む、
項目２４に記載の方法。
（項目２６）
前記第１のレギュレータが電圧源であり、
前記電圧源の前記単方向構成要素がバックコンバータを含み、
前記電圧源の前記双方向構成要素がＤ級電力増幅器含む、
項目２４に記載の方法。
（項目２７）
前記時変可動コイル信号のバージョンを前記合成信号から導出するための第１のフィルタの提供と、
前記時変固定コイル信号のバージョンを前記合成信号から導出するための第２のフィルタの提供と、
前記フィルタ処理の前記合成信号への応用が含む、項目１９に記載の方法。
（項目２８）
入力音声信号の受信のための音声入力端子と、
可動振動板と、
エアギャップを有する磁性材料と、
前記磁性材料及び前記エアギャップにおいて磁束を誘導するための固定コイルと、
可動コイルが少なくとも部分的に前記エアギャップ内に配置されるような、前記振動板に結合された前記可動コイルと、
を有するドライバと、
前記入力音声信号に基づいて時変固定コイル信号を生成し、
前記時変固定コイル信号及び前記入力音声信号の両方に基づいて時変可動コイル信号を生成する、
ように適合された制御システムと、
前記時変固定コイル信号及び前記時変可動コイル信号に基づいて合成信号を提供するよう適合されたコンバイナ構成要素と、
前記時変固定コイル信号及び前記時変可動コイル信号の一方に応答する固定コイル制御信号を前記固定コイルのために提供し、
前記可動コイル制御信号が前記時変固定コイル信号及び前記時変可動コイル信号の他方に応答し、前記振動板が前記可動コイル制御信号に応じて動くような可動コイル制御信号を前記可動コイルに提供する、
ために前記合成信号を処理するよう適合されたフィルタ構成要素とを含み、
前記コンバイナ構成要素及び前記フィルタ構成要素が、前記コンバイナ構成要素から前記フィルタ構成要素への前記合成信号の送信のために、１対の導体を介して電気通信する、
音響変換器。
（項目２９）
前記時変固定コイル信号の前記時変可動コイル信号への追加のために、前記コンバイナ構成要素が電流レギュレータ及び電圧レギュレータの一方を含む、項目２８に記載の音響変換器。
（項目３０）
前記電流レギュレータ及び前記電圧レギュレータの他方が単方向構成要素及び双方向構成要素を含む、項目２９に記載の音響変換器。
（項目３１）
前記単方向構成要素及び前記双方向構成要素が総構成要素として提供される、項目３０に記載の音響変換器。
（項目３２）
前記総構成要素がＤ級電力増幅器を含む、項目３１に記載の音響変換器。
（項目３３）
前記単方向構成要素及び前記双方向構成要素が個別の構成要素.として提供される、項目３０に記載の音響変換器。
（項目３４）
前記電流レギュレータが電流源であり、
前記電流源の前記単方向構成要素がバックコンバータを含み、
前記電流源の前記双方向構成要素がＤ級電力増幅器及びＡＢ級電力増幅器を含む、
項目３３に記載の音響変換器。
（項目３５）
前記電圧レギュレータが電圧源であり、
前記電圧源の前記単方向構成要素がバックコンバータを含み、
前記電圧源の前記双方向構成要素がＤ級電力増幅器を含む、
項目３３に記載の音響変換器。
（項目３６）
前記時変可動コイル信号のバージョンを前記合成信号から導出するための第１のフィルタと、
前記時変固定コイル信号のバージョンを前記合成信号から導出するための第２のフィルタと、
を前記フィルタ構成要素が含む、項目２８に記載の音響変換器。
（項目３７）
音響変換器の動作方法であって、
入力音声信号の受信と、
前記入力音声信号に基づく時変固定コイル信号の生成と、
前記時変固定コイル信号及び前記入力音声信号の両方に基づく時変可動コイル信号の生成と、
前記時変固定コイル信号及び前記時変可動コイル信号に基づく合成信号の提供と、
を含む方法。
（項目３８）
１対の導体における前記合成信号の変換器への送信を、
前記合成信号の提供が含む、項目３７に記載の方法。
（項目３９）
電流レギュレータ及び電圧レギュレータの１つである第１のレギュレータの提供と、
前記第１のレギュレータを用いた前記時変固定コイル信号の前記時変可動コイル信号への追加と、
を前記合成信号の提供がさらに含む、項目３７に記載の方法。
（項目４０）
前記第１のレギュレータが単方向構成要素及び双方向構成要素.を含む、項目３９に記載の方法。
（項目４１）
前記単方向構成要素及び前記双方向構成要素が総構成要素として提供される、項目４０に記載の方法。
（項目４２）
前記総構成要素がＤ級電力増幅器を含む、項目４１に記載の方法。
（項目４３）
前記単方向構成要素及び前記双方向構成要素が個別の構成要素.として提供される、項目４０に記載の方法。
（項目４４）
前記第１のレギュレータが電流源であり、
前記電流源の前記単方向構成要素がバックコンバータを含み、
前記電流源の前記双方向構成要素がＤ級電力増幅器及びＡＢ級電力増幅器の１つを含む、
項目４３に記載の方法。
（項目４５）
前記第１のレギュレータが電圧源であり、
前記電圧源の前記単方向構成要素がバックコンバータを含み、
前記電圧源の前記双方向構成要素がＤ級電力増幅器を含む、
項目４３に記載の方法。
（項目４６）
音響変換器の動作方法であって、
時変固定コイル信号が入力音声信号に基づいて生成され、時変可動コイル信号が前記時変固定コイル信号及び前記入力音声信号の両方に基づいて生成されるような、前記時変固定コイル信号及び前記時変可動コイル信号に対応する合成信号の、１対の導体を介した受信と、
固定コイルが磁束経路内で磁束を誘導し、固定コイル制御信号が前記時変固定コイル信号及び前記合成信号の一方に応答するように、前記固定コイル制御信号を前記固定コイルに提供し、
可動コイル制御信号が前記時変固定コイル信号及び前記合成信号の他方に応答し、
可動コイルが前記磁束経路内に配置され、
前記可動コイルが、前記可動コイル制御信号に応じて動く可動振動板に結合されるように、
前記可動コイル制御信号を前記可動コイルに提供する、
ためのフィルタ処理の前記合成信号への応用と、
を含む方法。
（項目４７）
前記時変固定コイル信号のバージョンを前記合成信号から導出するための前記合成信号の処理のためのフィルタの提供を、
前記フィルタ処理の前記合成信号への応用が含む、項目４６に記載の方法。
（項目４８）
音響変換器の動作方法であって、
時変固定コイル信号が入力音声信号に基づいて生成され、時変可動コイル信号が前記時変固定コイル信号及び前記入力音声信号の両方に基づいて生成されるような、前記時変固定コイル信号及び前記時変可動コイル信号に対応する合成信号の、１対の導体を介した受信と、
固定コイル制御信号が前記時変固定コイル信号及び前記時変可動コイル信号の一方に応答し、固定コイルが磁束経路内で磁束を誘導するように、前記固定コイル制御信号を前記固定コイルに提供し、
可動コイル制御信号が前記時変固定コイル信号及び前記時変可動コイル信号の他方に応答し、
可動コイルが前記磁束経路内に配置され、
前記可動コイルが、前記可動コイル制御信号に応じて動く可動振動板に結合されるように、
前記可動コイル制御信号を前記可動コイルに提供する、
ためのフィルタ処理の前記合成信号への応用と、
を含む方法。
（項目４９）
前記時変可動コイル信号のバージョンを前記合成信号から導出するための第１のフィルタと、
前記時変固定コイル信号のバージョンを前記合成信号から導出するための第２のフィルタと、
を前記フィルタ処理の前記合成信号への応用が含む、項目４８に記載の方法。